【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
基地局から、物理リソース上で第１のタイプのスケジューリング要求または第２のタイプのスケジューリング要求を送信するための時間領域多重化構成の指示を受信することと、
アップリンクキャリア上で送信されるべきデータに関連する優先度パラメータを識別することと、
前記識別された優先度パラメータに少なくとも部分的に基づいて、共有無線周波数スペクトル帯域または専用無線周波数スペクトル帯域中のアップリンクリソースを要求するための第１のタイプのメッセージ、ここにおいて、前記第１のタイプのメッセージが前記第１のタイプのスケジューリング要求を備える、あるいは前記専用無線周波数スペクトル帯域中のアップリンクリソースを要求するための第２のタイプのメッセージ、ここにおいて、前記第２のタイプのメッセージが前記第２のタイプのスケジューリング要求を備える、の間での選択をすることと、
前記選択されたタイプのメッセージを送信することと
を備える、方法。
【請求項２】
前記優先度パラメータを識別することが、
前記アップリンクキャリア上での送信のためのバッファステータス報告（ＢＳＲ）メッセージ中で報告されるべき第１の量のデータを識別することと、
前記第１の量のデータが、前記共有無線周波数スペクトル帯域中のアップリンクリソースを必要とするのか、前記専用無線周波数スペクトル帯域中のアップリンクリソースを必要とするのかを決定することと、
第１のタイプのＢＳＲメッセージまたは第２のタイプのＢＳＲメッセージの間での選択をすることと、
前記第１のタイプのＢＳＲメッセージまたは前記第２のタイプのＢＳＲメッセージのいずれかを送信することと
を備える、請求項１に記載の方法。
【請求項３】
前記第１のタイプのＢＳＲメッセージは、前記第１の量のデータがアップリンクリソースを必要とするかどうかを決定することに関連するデータを含む、請求項２に記載の方法。
【請求項４】
前記第１の量のデータがアップリンクリソースを必要とするかどうかを決定することに関連するデータが、前記第２のタイプのＢＳＲメッセージにない、請求項２に記載の方法。
【請求項５】
基地局から、前記第１のタイプのスケジューリング要求をそれ上で送信すべき第１の物理リソースの第１の構成と、前記第２のタイプのスケジューリング要求をそれ上で送信すべき第２の物理リソースの第２の構成とを受信すること
をさらに備える、請求項１に記載の方法。
【請求項６】
前記第１の物理リソースおよび前記第２の物理リソースが、物理アップリンク制御チャネル（ＰＵＣＣＨ）の別個の時間リソースと、周波数リソースと、コードリソースとを備える、請求項５に記載の方法。
【請求項７】
前記第１の物理リソースが前記共有無線周波数スペクトル帯域中にあり、前記第２の物理リソースが前記専用無線周波数スペクトル帯域中にある、請求項５に記載の方法。
【請求項８】
前記物理リソースが前記専用無線周波数スペクトル帯域中にある、請求項１に記載の方法。
【請求項９】
前記第１のタイプのメッセージが、前記共有無線周波数スペクトル帯域または前記専用無線周波数スペクトル帯域中のアップリンクキャリア上で送信されるべきバッファされたデータの第１のタイプの指示を備え、前記第２のタイプのメッセージが、前記専用無線周波数スペクトル帯域中のアップリンクキャリア上で送信されるべきバッファされたデータの第２のタイプの指示を備える、請求項１に記載の方法。
【請求項１０】
前記第１のタイプの指示および前記第２のタイプの指示が、バッファステータス報告（ＢＳＲ）中で送信され、前記ＢＳＲが前記専用無線周波数スペクトル帯域中で送信される、請求項９に記載の方法。
【請求項１１】
前記第１のタイプの指示が第１のバッファステータス報告（ＢＳＲ）中で送信され、前記第２のタイプの指示が第２のＢＳＲ中で送信され、前記第１のＢＳＲおよび前記第２のＢＳＲが、前記専用無線周波数スペクトル帯域中で送信される、請求項９に記載の方法。
【請求項１２】
前記アップリンクキャリア上で送信されるべき前記データが、論理チャネルグループに関連し、前記第１のタイプの指示または前記第２のタイプの指示が、前記論理チャネルグループのために送信される、請求項９に記載の方法。
【請求項１３】
タイマーの満了時に、前記専用無線周波数スペクトル帯域中のアップリンクキャリア上で送信されるべきバッファされたデータを、前記共有無線周波数スペクトル帯域中のアップリンクキャリア上で送信されるべきバッファされたデータとすること、または前記共有無線周波数スペクトル帯域中のアップリンクキャリア上で送信されるべきバッファされたデータを、前記専用無線周波数スペクトル帯域中のアップリンクキャリア上で送信されるべきバッファされたデータとすることのうちの少なくとも１つの再分類をすること
をさらに備える、請求項９に記載の方法。
【請求項１４】
前記優先度パラメータは、サービス品質（ＱｏＳ）パラメータ、前記データが媒体アクセス制御（ＭＡＣ）レイヤ制御情報を備えるかどうかの第１の指示、前記データが上位レイヤ制御情報を備えるかどうかの第２の指示、前記データが伝送制御プロトコル（ＴＣＰ）肯定応答（ＡＣＫ）を備えるという第３の指示、前記データが高優先度論理チャネルのためのものであるという第４の指示、または前記データが上位レイヤ再送信のためのものであるという第５の指示のうちの少なくとも１つを備える、請求項１に記載の方法。
【請求項１５】
ユーザ機器（ＵＥ）におけるワイヤレス通信のための装置であって、
基地局から、物理リソース上で第１のタイプのスケジューリング要求または第２のタイプのスケジューリング要求を送信するための時間領域多重化構成の指示を受信するための手段と、
アップリンクキャリア上で送信されるべきデータに関連する優先度パラメータを識別するための手段と、
前記識別された優先度パラメータに少なくとも部分的に基づいて、共有無線周波数スペクトル帯域または専用無線周波数スペクトル帯域中のアップリンクリソースを要求するための第１のタイプのメッセージ、ここにおいて、前記第１のタイプのメッセージが前記第１のタイプのスケジューリング要求を備える、あるいは前記専用無線周波数スペクトル帯域中のアップリンクリソースを要求するための第２のタイプのメッセージ、ここにおいて、前記第２のタイプのメッセージが前記第２のタイプのスケジューリング要求を備える、の間での選択をするための手段と、
前記選択されたタイプのメッセージを送信するための手段と
を備える、装置。
【手続補正２】
【補正対象書類名】明細書
【補正対象項目名】０１６９
【補正方法】変更
【補正の内容】
【０１６９】
[0186]  本開示についての以上の説明は、当業者が本開示を作成または使用できるように与えられた。本開示への様々な変更は当業者には容易に明らかとなり、本明細書で定義された一般原理は、本開示の範囲から逸脱することなく他の変種に適用され得る。従って、本開示は、本明細書で説明された例および設計に限定されるべきでなく、本明細書で開示された原理および新規の技法に合致する最も広い範囲を与えられるべきである。
以下に本願の出願当初の特許請求の範囲に記載された発明を付記する。
[Ｃ１]  ユーザ機器（ＵＥ）におけるワイヤレス通信のための方法であって、
アップリンクキャリア上で送信されるべきデータに関連する優先度パラメータを識別することと、
前記識別された優先度パラメータに少なくとも部分的に基づいて、共有無線周波数スペクトル帯域または専用無線周波数スペクトル帯域中のアップリンクリソースを要求するための第１のタイプのメッセージ、あるいは前記専用無線周波数スペクトル帯域中のアップリンクリソースを要求するための第２のタイプのメッセージの間での選択をすることと、
前記選択されたタイプのメッセージを送信することと
を備える、方法。
[Ｃ２]  前記優先度パラメータを識別することが、
前記アップリンクキャリア上での送信のためのバッファステータス報告（ＢＳＲ）メッセージ中で報告されるべき第１の量のデータを識別することと、
前記第１の量のデータが、前記共有無線周波数スペクトル帯域中のアップリンクリソースを必要とするのか、前記専用無線周波数スペクトル帯域中のアップリンクリソースを必要とするのかを決定することと、
第１のタイプのＢＳＲメッセージまたは第２のタイプのＢＳＲメッセージの間での選択をすることと、
前記第１のタイプのＢＳＲメッセージまたは前記第２のタイプのＢＳＲメッセージのいずれかを送信することと
を備える、Ｃ１に記載の方法。
[Ｃ３]  前記第１のタイプのＢＳＲメッセージは、前記第１の量のデータがアップリンクリソースを必要とするかどうかを決定することに関連するデータを含む、Ｃ２に記載の方法。
[Ｃ４]  前記第１の量のデータがアップリンクリソースを必要とするかどうかを決定することに関連するデータが、前記第２のタイプのＢＳＲメッセージにない、Ｃ２に記載の方法。
[Ｃ５]  前記第１のタイプのメッセージが、第１のタイプのスケジューリング要求を備え、前記第２のタイプのメッセージが、第２のタイプのスケジューリング要求を備える、Ｃ１に記載の方法。
[Ｃ６]  基地局から、前記第１のタイプのスケジューリング要求をそれ上で送信すべき第１の物理リソースの第１の構成と、前記第２のタイプのスケジューリング要求をそれ上で送信すべき第２の物理リソースの第２の構成とを受信すること
をさらに備える、Ｃ５に記載の方法。
[Ｃ７]  前記第１の物理リソースおよび前記第２の物理リソースが、物理アップリンク制御チャネル（ＰＵＣＣＨ）の別個の時間リソースと、周波数リソースと、コードリソースとを備える、Ｃ６に記載の方法。
[Ｃ８]  前記第１の物理リソースが前記共有無線周波数スペクトル帯域中にあり、前記第２の物理リソースが前記専用無線周波数スペクトル帯域中にある、Ｃ６に記載の方法。
[Ｃ９]  基地局から、物理リソース上で前記第１のタイプのスケジューリング要求または前記第２のタイプのスケジューリング要求を送信するための時間領域多重化構成の指示を受信すること
をさらに備える、Ｃ５に記載の方法。
[Ｃ１０]  前記物理リソースが前記専用無線周波数スペクトル帯域中にある、Ｃ９に記載の方法。
[Ｃ１１]  前記第１のタイプのメッセージが、前記共有無線周波数スペクトル帯域または前記専用無線周波数スペクトル帯域中のアップリンクキャリア上で送信されるべきバッファされたデータの第１のタイプの指示を備え、前記第２のタイプのメッセージが、前記専用無線周波数スペクトル帯域中のアップリンクキャリア上で送信されるべきバッファされたデータの第２のタイプの指示を備える、Ｃ１に記載の方法。
[Ｃ１２]  前記第１のタイプの指示および前記第２のタイプの指示が、バッファステータス報告（ＢＳＲ）中で送信される、Ｃ１１に記載の方法。
[Ｃ１３]  前記ＢＳＲが前記専用無線周波数スペクトル帯域中で送信される、Ｃ１２に記載の方法。
[Ｃ１４]  前記第１のタイプの指示が第１のバッファステータス報告（ＢＳＲ）中で送信され、前記第２のタイプの指示が第２のＢＳＲ中で送信される、Ｃ１１に記載の方法。
[Ｃ１５]  前記第１のＢＳＲおよび前記第２のＢＳＲが、前記専用無線周波数スペクトル帯域中で送信される、Ｃ１４に記載の方法。
[Ｃ１６]  前記アップリンクキャリア上で送信されるべき前記データが、論理チャネルグループに関連し、前記第１のタイプの指示または前記第２のタイプの指示が、前記論理チャネルグループのために送信される、Ｃ１１に記載の方法。
[Ｃ１７]  タイマーの満了時に、前記専用無線周波数スペクトル帯域中のアップリンクキャリア上で送信されるべきバッファされたデータを、前記共有無線周波数スペクトル帯域中のアップリンクキャリア上で送信されるべきバッファされたデータとすること、または前記共有無線周波数スペクトル帯域中のアップリンクキャリア上で送信されるべきバッファされたデータを、前記専用無線周波数スペクトル帯域中のアップリンクキャリア上で送信されるべきバッファされたデータとすることのうちの少なくとも１つの再分類をすること
をさらに備える、Ｃ１１に記載の方法。
[Ｃ１８]  前記優先度パラメータは、サービス品質（ＱｏＳ）パラメータ、前記データが媒体アクセス制御（ＭＡＣ）レイヤ制御情報を備えるかどうかの第１の指示、前記データが上位レイヤ制御情報を備えるかどうかの第２の指示、前記データが伝送制御プロトコル（ＴＣＰ）肯定応答（ＡＣＫ）を備えるという第３の指示、前記データが高優先度論理チャネルのためのものであるという第４の指示、または前記データが上位レイヤ再送信のためのものであるという第５の指示のうちの少なくとも１つを備える、Ｃ１に記載の方法。
[Ｃ１９]  ユーザ機器（ＵＥ）におけるワイヤレス通信のための装置であって、
アップリンクキャリア上で送信されるべきデータに関連する優先度パラメータを識別するための手段と、
前記識別された優先度パラメータに少なくとも部分的に基づいて、共有無線周波数スペクトル帯域または専用無線周波数スペクトル帯域中のアップリンクリソースを要求するための第１のタイプのメッセージ、あるいは前記専用無線周波数スペクトル帯域中のアップリンクリソースを要求するための第２のタイプのメッセージの間での選択をするための手段と、
前記選択されたタイプのメッセージを送信するための手段と
を備える、装置。
[Ｃ２０]  前記第１のタイプのメッセージが、第１のタイプのスケジューリング要求を備え、前記第２のタイプのメッセージが、第２のタイプのスケジューリング要求を備える、Ｃ１９に記載の装置。
[Ｃ２１]  基地局から、前記第１のタイプのスケジューリング要求をそれ上で送信すべき第１の物理リソースの第１の構成と、前記第２のタイプのスケジューリング要求をそれ上で送信すべき第２の物理リソースの第２の構成とを受信するための手段
をさらに備える、Ｃ２０に記載の装置。
[Ｃ２２]  前記第１の物理リソースおよび前記第２の物理リソースが、物理アップリンク制御チャネル（ＰＵＣＣＨ）の別個の時間リソースと、周波数リソースと、コードリソースとを備える、Ｃ２１に記載の装置。
[Ｃ２３]  前記第１の物理リソースが前記共有無線周波数スペクトル帯域中にあり、前記第２の物理リソースが前記専用無線周波数スペクトル帯域中にある、Ｃ２１に記載の装置。
[Ｃ２４]  基地局から、物理リソース上で前記第１のタイプのスケジューリング要求または前記第２のタイプのスケジューリング要求を送信するための時間領域多重化構成の指示を受信するための手段
をさらに備える、Ｃ２０に記載の装置。
[Ｃ２５]  前記物理リソースが前記専用無線周波数スペクトル帯域中にある、Ｃ２４に記載の装置。
[Ｃ２６]  前記第１のタイプのメッセージが、前記共有無線周波数スペクトル帯域または前記専用無線周波数スペクトル帯域中のアップリンクキャリア上で送信されるべきバッファされたデータの第１のタイプの指示を備え、前記第２のタイプのメッセージが、前記専用無線周波数スペクトル帯域中のアップリンクキャリア上で送信されるべきバッファされたデータの第２のタイプの指示を備える、Ｃ１９に記載の装置。
[Ｃ２７]  前記第１のタイプの指示および前記第２のタイプの指示が、バッファステータス報告（ＢＳＲ）中で送信される、Ｃ２６に記載の装置。
[Ｃ２８]  前記第１のＢＳＲおよび前記第２のＢＳＲが、前記専用無線周波数スペクトル帯域中で送信される、Ｃ２７に記載の装置。
[Ｃ２９]  ユーザ機器（ＵＥ）におけるワイヤレス通信のための方法であって、
１つまたは複数の論理チャネルの各々のための第１の優先ビットレート（ＰＢＲ）および第２のＰＢＲを維持することと、前記第１のＰＢＲが、共有無線周波数スペクトル帯域および専用無線周波数スペクトル帯域中の送信に関連する、前記第２のＰＢＲが、前記専用無線周波数スペクトル帯域中の送信に関連する、
前記１つまたは複数の論理チャネルのうちの論理チャネルのための前記第１のＰＢＲおよび前記論理チャネルのための前記第２のＰＢＲに従って、前記論理チャネルに関連するデータの少なくとも一部分を、１つまたは複数のアップリンク許可のリソースにマッピングすることと
を備える、方法。
[Ｃ３０]  ユーザ機器（ＵＥ）におけるワイヤレス通信のための方法であって、
専用無線周波数スペクトル帯域中の第１のアップリンクキャリアおよび共有無線周波数スペクトル帯域中の第２のアップリンクキャリア上で通信することと、
複数の論理チャネルの公称スケジューリング優先度を決定するために、前記複数の論理チャネルの各々のための優先ビットレート（ＰＢＲ）を維持することと、
前記専用無線周波数スペクトル帯域中の前記第１のアップリンクキャリアのためのアップリンク許可を受信することと、
前記公称スケジューリング優先度とは無関係に適用される論理チャネル優先度に従って、前記複数の論理チャネルのうちの論理チャネルに関連するデータの少なくとも一部分を、前記アップリンク許可のリソースにマッピングすることと
を備える、方法。